(57)【要約】【課題】  簡単な構成で被検眼の眼軸長と屈折力の測定を短時間で同時に行うことができる眼科測定装置を提供する。【解決手段】  被検眼の屈折力と眼軸長を非接触にて測定する眼科測定装置において、被検眼に向けて低コヒーレント長の測定光を照射する測定光照射光学系と、測定光による被検眼眼底からの反射光を受光する受光光学系と、受光光学系にて受光した前記反射光の受光状態に基づいて被検眼の屈折力を求める屈折力測定手段と、被検眼に向けて低コヒーレンスな光を被検眼に照射するとともに照射によって得られる被検眼の角膜の反射光を参照光とし，参照光と測定光照射光学系によって得られる被検眼眼底からの反射光とを合成して干渉させ，その干渉光を受光する干渉光学系と、干渉光学系にて得られる干渉信号に基づいて被検眼の眼軸長を測定する眼軸長測定手段と、を備える。【選択図】      図１
2005342204.tif 000002
【特許請求の範囲】
【請求項１】
被検眼の屈折力と眼軸長を非接触にて測定する眼科測定装置において、被検眼に向けて低コヒーレント長の測定光を照射する測定光照射光学系と、前記測定光による被検眼眼底からの反射光を受光する受光光学系と、受光光学系にて受光した前記反射光の受光状態に基づいて被検眼の屈折力を求める屈折力測定手段と、被検眼に向けて低コヒーレンスな光を被検眼に照射するとともに該照射によって得られる前記被検眼の角膜の反射光を参照光とし，該参照光と前記測定光照射光学系によって得られる前記被検眼眼底からの反射光とを合成して干渉させ，その干渉光を受光する干渉光学系と、該干渉光学系にて得られる干渉信号に基づいて被検眼の眼軸長を測定する眼軸長測定手段と、を備えることを特徴とする眼科測定装置。
【請求項２】
請求項１の眼科測定装置において、前記屈折力測定手段にて求められた被検眼の屈折力に基づいて前記被検眼に照射される前記測定光の眼底における結像状態を補正するための補正手段を備えることを特徴とする眼科測定装置。
【請求項３】
請求項２の眼科測定装置において、前記受光光学系は受光素子の受光面に前記眼底からの反射光を集光させるためのリングレンズを有することを特徴とする眼科測定装置。
【請求項４】
請求項３の眼科測定装置は、前記干渉光学系内に前記被検眼の乱視成分を打ち消すための乱視補正用光学部材を有することを特徴とする眼科測定装置。
【発明の詳細な説明】
【技術分野】
【０００１】
本発明は被検眼の眼軸長と屈折力を非接触にて測定する眼科測定装置に関する。
【背景技術】
【０００２】
従来、被検眼の眼軸長と屈折力とを光学的に非接触にて測定する眼科測定装置が知られている。このような被検眼の眼軸長と屈折力とを非接触にて測定する装置としては、眼底からの反射光と、装置内に設けられた参照面からの反射光との合成によって生じる干渉を用いて、基準位置からの被検眼眼底までの距離を求めておき、さらに別の光学系にて基準位置から被検眼の角膜までの距離を求めることによって、被検眼の眼軸長を算出するものとし、被検眼の屈折力は、干渉信号の強度変化に基づいて、眼内対象物への光束の集光状態を変化させて被検眼の屈折力補正を行い、この屈折力補正に基づいて被検眼の屈折力測定を行う装置が知られている（特許文献１参照）。
【特許文献１】特開平７−２５５６７４号公報
【発明の開示】
【発明が解決しようとする課題】
【０００３】
しかしながら、前述したような従来の眼科測定装置においては、参照光生成のための光学部材を装置内に配置するため、部品点数の増大や装置の大型化を招くこととなる。また、屈折力測定においては、干渉信号の強度変化を用いるため、正確な測定結果が得られ難いといった問題を有する。
本発明は、上記従来技術の問題点に鑑み、簡単な構成で被検眼の眼軸長と屈折力の測定を短時間で同時に行うことができる眼科測定装置を提供することを技術課題とする。
【課題を解決するための手段】
【０００４】
上記課題を解決するために、本発明は以下のような構成を備えることを特徴とする。
（１）  被検眼の屈折力と眼軸長を非接触にて測定する眼科測定装置において、被検眼に向けて低コヒーレント長の測定光を照射する測定光照射光学系と、前記測定光による被検眼眼底からの反射光を受光する受光光学系と、受光光学系にて受光した前記反射光の受光状態に基づいて被検眼の屈折力を求める屈折力測定手段と、被検眼に向けて低コヒーレンスな光を被検眼に照射するとともに該照射によって得られる前記被検眼の角膜の反射光を参照光とし，該参照光と前記測定光照射光学系によって得られる前記被検眼眼底からの反射光とを合成して干渉させ，その干渉光を受光する干渉光学系と、該干渉光学系にて得られる干渉信号に基づいて被検眼の眼軸長を測定する眼軸長測定手段と、を備えることを特徴とする。
（２）  （１）の眼科測定装置において、前記屈折力測定手段にて求められた被検眼の屈折力に基づいて前記被検眼に照射される前記測定光の眼底における結像状態を補正するための補正手段を備えることを特徴とする。
（３）  （２）の眼科測定装置において、前記受光光学系は受光素子の受光面に前記眼底からの反射光を集光させるためのリングレンズを有することを特徴とする。
（４）  （３）の眼科測定装置は、前記干渉光学系内に前記被検眼の乱視成分を打ち消すための乱視補正用光学部材を有することを特徴とする。
【発明の効果】
【０００５】
本発明によれば、簡単な構成で被検眼の眼軸長と屈折力の測定を短時間に行うことができる。
【発明を実施するための最良の形態】
【０００６】
以下、本発明の実施形態を図面に基づいて説明する。図１は本実施形態で用いる眼科測定装置の１種である屈折力測定機能を有した眼軸長測定装置の光学系の概略構成を示す図である。図１に示す光学系は、測定光投光光学系、屈折力測定光学系、参照光投光光学系、干渉信号検出光学系、視標投影光学系、観察光学系からなる。なお、本実施形態の眼科測定装置は被検眼に対して装置を所定の関係に位置させるためのアライメント光学系も有しているが、従来、他覚的眼屈折力装置等に用いられている既知のアライメント光学系と同様の光学系を用いればよいため、その説明は割愛する。
【０００７】
＜測定光投光光学系＞
図１に示す測定光投光光学系１００は、光源１、コリメーターレンズ２、ビームスプリッタ３、集光レンズ４、リレーレンズ５、絞り６、ホールミラー７、ビームスプリッタ８、対物レンズ９、ビームスプリッタ１０にて構成されている。
【０００８】
光源１は、ＳＬＤ（Super luminescent Diode）等の低コヒーレント長の赤外光を発する光源である。光源１から出射された低コヒーレント光は、コリメーターレンズ２にて平行光束とされた後、ビームスプリッタ３を透過する。ビームスプリッタ３を透過した光束は、集光レンズ４により光軸Ｌ１上に中間像（集光点Ａ）を形成した後、リレーレンズ５、ホールミラーの開口部を通過して、一旦集光し、ビームスプリッタ８、対物レンズ９、ビームスプリッタ１０を経て、被検眼Ｅの眼底に集光する。
【０００９】
＜屈折力測定光学系＞
図１に示す屈折力測定光学系２００は、被検眼Ｅの前方からビームスプリッタ１０、対物レンズ９、ビームスプリッタ８、ホールミラー７、リレーレンズ１１、ミラー１２、絞り１３、コリメータレンズ１４、ビームスプリッタ１５、リングレンズ１６、赤外域に感度を有する受光素子１７にて構成されている。なお、測定光投光光学系１００とは、ホールミラー７からビームスプリッタ１０までを共有する。
【００１０】
測定光投光光学系１００によって被検眼Ｅの眼底に集光された光束の反射光（測定光）は、ビームスプリッタ１０、対物レンズ９、ビームスプリッタ８を経て、ホールミラー７にて反射する。なお、ホールミラー７は、被検眼Ｅにおける眼底反射光を反射し、不要な角膜反射光は開口部を通過させるようになっている。
ホールミラー７にて反射した眼底反射光は、リレーレンズ１１を経た後、ミラー１２にて折り曲げられた後、絞り１３の位置にて一旦集光（集光点Ｂ）する。その後、反射光はコリメーターレンズ１４によって平行光束とされた後、ビームスプリッタ１５にて反射光の一部が反射し、リングレンズ１６を経て、受光素子１７に受光される。
【００１１】
なお、測定光投光光学系１００の集光レンズ４による集光点Ａと、コリメータレンズ１４の前側焦点位置である絞り１３位置の集光点Ｂは、対物レンズ９及びリレーレンズ５，１１を介して被検眼Ｅの眼底と共役になっている。また、図１に示す集光レンズ４、絞り１３、コリメーターレンズ１４、ビームスプリッタ１５、リングレンズ１６、受光素子１７の、測定光投光光学系１００及び屈折力測定光学系２００の一部の光学部材は、駆動可能なステージ１８上に設置されている。ステージ１８は、図２に示す駆動手段４３によって光軸方向に移動可能となっている。
【００１２】
また、リングレンズ１６は、コリメーターレンズ１４の後ろ側焦点位置に置かれ、駆動手段１９によるステージ１８の移動位置によらず被検眼Ｅの瞳と共役な関係が保たれている。さらに受光素子１７は、リングレンズ１６の焦点位置にあり、被検眼Ｅの眼底と共役な関係が成り立っている。なお、リングレンズ１６は、平板上に円筒レンズをリング状に形成したものであり、リング部以外は遮光のためのコーティングが施されている。このリングレンズ１６に平行光束が入射すると、焦点位置（受光素子１７の受光面）には、リングレンズ１６と略同じサイズのリング像が集光する。
【００１３】
＜参照光投光光学系＞
図１に示す参照光学系３００は、光源側から、光源１、コリメーターレンズ２、ビームスプリッタ３、ミラー１９、ビームスプリッタ２０、集光レンズ２１、ミラー２２、ビームスプリッタ８、対物レンズ９、ビームスプリッタ１０にて構成されている。なお、測定光投光光学系１００とは、光源１からビームスプリッタ３までと、ビームスプリッタ８からビームスプリッタ１０までを共有する。
光源１から出射した低コヒーレント光は、コリメーターレンズ２を通過した後、ビームスプリッタ３にて一部の光束が反射し、光軸Ｌ２上に配置されているミラー１９に向かう。ミラー１９にて反射した光束は、ビームスプリッタ２０を透過した後、集光レンズ２１により、光軸Ｌ２上に一旦集光する。光軸Ｌ２上にて集光した光束は、ミラー２２により反射した後、ビームスプリッタ８にて反射することにより光軸Ｌ１と同軸になり、対物レンズ９、ビームスプリッタ１０を経て、被検眼Ｅの角膜に集光する。
【００１４】
＜干渉信号検出光学系＞
図１に示す干渉信号検出光学系４００は、被検眼Ｅの眼底からの反射光（測定光）を受光するための光学系と被検眼Ｅの角膜からの反射光（参照光）を受光するための光学系とから構成される。
【００１５】
眼底からの反射光を受光する光学系は、被検眼Ｅの前方からビームスプリッタ１０、対物レンズ９、ビームスプリッタ８、ホールミラー７、リレーレンズ１１、ミラー１２、絞り１３、コリメータレンズ１４、ビームスプリッタ１５、ビームスプリッタ２６、集光レンズ２７、赤外域に感度を有する受光素子２８にて構成されている。なお、測定光投光光学系１００とは、ビームスプリッタ１０からビームスプリッタ１５までを共有する。
測定光投光光学系１００によって被検眼Ｅの眼底に集光された光束の反射光は、前述したように、屈折力測定光学系２００各種光学部材を経た後、ビームスプリッタ１５によって、一部の反射光が透過する。ビームスプリッタ１５を透過した反射光は、さらに光軸Ｌ３上に配置されるビームスプリッタ２６、集光レンズ２７を経て、受光素子２８の受光面に集光する。
【００１６】
また、被検眼Ｅの角膜からの反射光（以下、参照光と記す）を受光するための光学系は、被検眼Ｅの前方からビームスプリッタ１０、対物レンズ９、ビームスプリッタ８、ミラー２２、集光レンズ２１、ビームスプリッタ２０、プリズム２３、ミラー２４，２５、ビームスプリッタ２６、集光レンズ２７、受光素子２８にて構成されている。なお、プリズム２３は、図２に示す駆動手段４４により、図示する矢印方向に移動可能となっており、参照光が通る光路長を変更することができるようになっている。
【００１７】
参照光は、ビームスプリッタ１０、対物レンズ９を経た後、ビームスプリッタ８にてその一部が反射される。ビームスプリッタ８にて反射した参照光は、ミラー２２、集光レンズ２２を経た後、ビームスプリッタ２０により反射され、プリズム２３に向かう。プリズム２３にて折り返された参照光は、ミラー２４，２５を経てビームスプリッタ２６に向かう。ビームスプリッタ２６にて反射した参照光は光軸Ｌ３と同軸とされ、集光レンズ２７を経て、受光素子２８の受光面に集光する。なお受光素子２８の受光面は、被検眼Ｅの眼底と角膜とに共役な関係となっている。
【００１８】
＜視標投影光学系・観察光学系＞
図１に示す視標投影光学系は、可視光を照射するＬＥＤ等の光源３０、所定の視標が形成された視標板３１、リレーレンズ３２、ビームスプリッタ３３、対物レンズ３４、ビームスプリッタ１０からなる。光源３０から出射された可視光の光束は、視標板３１を背面から照明する。視標板３１を通過した光束は、リレーレンズ３２、ビームスプリッタ３３、対物レンズ３４、ビームスプリッタを経て、被検眼Ｅの眼底に集光する。なお、本装置が被検眼Ｅに対して所定の位置関係になるようにアライメントされたとき、視標板３１と被検眼Ｅの眼底とは共役な関係となる。また、光源３０と視標板３１は駆動手段４５によって光軸方向に移動可能となっており、被検眼の固視や、視標板の位置を変更させて眼屈折力測定時に被検眼に雲霧をかけたり、調節負荷を与える。
【００１９】
また、観察光学系は、被検眼前方から、ビームスプリッタ１０、対物レンズ３４、ビームスプリッタ３３、結像レンズ３５、赤外域に感度を有する受光素子３６から構成される。なお、被検眼Ｅの瞳位置と受光素子３６とは共役な位置関係となっている。なお、被検眼Ｅを照明するために、また、３７は被検眼を照明するための赤外ＬＥＤである。
【００２０】
図２は本実施形態で用いる眼科測定装置における制御系を示したブロック図である。
４０は本実施形態の装置の駆動制御を行う制御部である。制御部４０には、受光素子１７，受光素子２８，受光素子３６、モニタ４１、演算処理部４２、駆動手段４３〜４５、記憶部４６等が接続される。なお、駆動手段４３〜４５はパルスモータ等を用いており、各駆動手段による駆動量を検出できるようになっている。また、演算処理部４２は、受光素子や駆動手段等によって得られた情報を基に、被検眼Ｅの屈折力や眼軸長を演算により求めるために用いられる。また、記憶部４６には求められた測定値が記憶される。
【００２１】
以上のような、構成を備える装置について、以下にその動作を説明する。
検者は、図１に示すモニタ４１を見ながら、図示なきジョイスティック等の操作手段を用いて、装置を上下左右及び前後方向に移動させ、装置を被検眼Ｅに対して所定の位置関係に置く。本実施形態では、受光素子３６の受光面と被検眼Ｅの瞳位置とが共役な関係になるようにする。検者は図１に示す視標投影光学系にて投影される視標を被検者に固視させるとともに、図示なき測定ボタンを使用して、屈折力と眼軸長を測定する。
【００２２】
測定ボタンが押されると、制御部４０は、駆動手段４５を駆動させて、光源３０及び視標板３１を光軸方向に移動させ、雲霧がかかる状態とし、被検眼Ｅの調節をなくすようにする。また、制御部４０は、光源１から低コヒーレント光を出射させる。光源１から出射した低コヒーレント光は、図１に示すビームスプリッタ３により２方向に分けられた後、前述した測定光投光光学系１００及び参照光投光光学系３００を経て、被検眼Ｅの眼底及び角膜に各々集光する。
【００２３】
被検眼Ｅの眼底に集光した光束の反射光は、図１に示すビームスプリッタ１０、対物レンズ９、ビームスプリッタ８を経た後、ホールミラー７により反射される。ホールミラー７にて反射した眼底反射光は、リレーレンズ１１、ミラー１２、絞り１３、コリメーターレンズ１４を経た後、ビームスプリッタ１５にてその一部が下方に折り曲げられ、リングレンズ１６を経て受光素子１７に受光される。
【００２４】
図３は眼底からの反射光が、リングレンズ１６を経て受光素子１７に受光される状態を示した概略図である。例えば、被検眼Ｅが正視眼の場合、コリメータレンズ１４を通った反射光は、図３（ａ）に示すような平行光束となってリングレンズ１６を透過する。このときリングレンズ１６を経て受光素子１７に受光されるリング像Ｒ1は、リングレンズ１６と略同じサイズとなる。また、被検眼Ｅが近視眼の場合には、コリメータレンズ１４を通った反射光は、図３（ｂ）に示すような収束光となってリングレンズ１６を透過する。このとき、リングレンズ１６を経て受光素子１７に受光されるリング像Ｒ2は、図３（ａ）に示したリング像Ｒ1よりも太くなるとともに、小さな径となる。また、被検眼Ｅが遠視眼の場合には、コリメータレンズ１４を通った反射光は、図３（ｃ）に示すような収束光となってリングレンズ１６を透過する。このとき、リングレンズ１６を経て受光素子１７に受光されるリング像Ｒ3は、図３（ａ）に示したリング像Ｒ1よりも太くなるとともに、大きな径となる。
【００２５】
演算処理部４２は、被検眼が正視眼であるときの受光状態と、実際に受光素子１７によって検出された受光状態との変化量に基づいて演算処理を行い、被検眼Ｅの屈折力を求める。また、演算処理部４２は、算出した屈折力値または受光素子１７の受光状態から、眼底に向けて投光する測定光が、被検眼Ｅの眼底において最も集光（ベストフォーカス）するためのステージ１８の位置を算出する。演算処理部４２は算出したベストフォーカスとなるステージ１８の位置情報を制御部４０に送る。制御部４０は受け取った位置情報を基に駆動手段４３を駆動してステージ１８を移動させ、被検眼Ｅに対する屈折力補正を行う。このように被検眼Ｅに対する屈折力補正を行うことにより、屈折力に応じた前記測定光の眼底における集光状態を補正することができ、Ｓ／Ｎ比の良い干渉信号が得られることとなる。
【００２６】
なお、本実施の形態では受光素子１７に受光されたリング像の受光状態に基づいて被検眼Ｅの屈折力を求めるものとしているが、これに限るものではなく、眼底に測定光を集光させるための、ベストフォーカス位置とされるステージ１８の位置と、そのときのリング像の受光状態とを考慮して、被検眼Ｅの屈折力を求めるようにすることもできる。また、受光素子１７に受光されるリング像の受光状態の情報は、ベストフォーカスを得るためのステージ１８の位置情報を算出するのに用いておき、基準位置からのステージの移動量に基づいて屈折力を求めることもできる。得られた被検眼Ｅの屈折力値は、記憶部４６に記憶されるとともに、モニタ４１に表示される。
【００２７】
ステージ１８の移動によって被検眼Ｅの屈折力補正が行われることにより、測定光は被検眼Ｅの眼底に効率よく集光することとなる。眼底からの反射光は、図１に示した干渉信号検出光学系４００における測定光を受光するための光学系によって最終的に受光素子２８に集光される。また、参照光（被検眼Ｅの角膜反射光）は、干渉信号検出光学系４００における参照光を受光するための光学系によって最終的に受光素子２８に集光される。演算処理部４２は、受光素子２８にて受光される測定光と参照光と干渉強度をモニタする。
【００２８】
一方、制御部４０は、駆動手段４４を用いて図１に示すプリズム２３を実線で示す基準位置（ここでは参照光路が最も短くなる位置）から移動させ、参照光が通る光学系の光路長を変化させていく。なお、本実施形態では眼軸長測定の間、プリズム２３を一秒間に数回〜十数回程度往復運動をさせるものとしている。本実施形態で用いる測定光及び参照光は、低コヒーレント光を用いているため、測定光の光路長と参照光の光路長が等しくなったときに、測定光と参照光との合成にて得られる干渉光の強度が最も強くなることとなる。演算処理部４２は、受光素子２８からの検出信号を基に、受光される測定光と参照光との合成による干渉光の強度が最も強くなった時点におけるプリズム２３の移動量、または駆動手段４４の駆動量を基に被検眼Ｅの眼軸長を求める。求められた眼軸長の値は、記憶部４６に記憶されるとともに、モニタ４１に表示される。なお、本実施の形態における測定光と参照光は、同一光源から出射した光束を分離することにより得るものとしているが、これに限るものではなく、測定光用の光束と参照光用の光束とを別々に出射するための２つの光源を用いることもできる。
【００２９】
また、さらに正確に眼軸長を求めたい場合には、図１に示す光学系において、コリメータレンズ１４と集光レンズ２７の間であって被検眼Ｅの瞳と共役な位置、あるいは対物レンズとホールミラーの間における被検眼Ｅの瞳とほぼ共役な位置に複数のシリンダレンズの組み合わせからなる乱視補正用光学部材を配置すればよい。この乱視補正用光学部材は、例えば、２枚のシリンダレンズの組み合わせからなるストークスのクロス円柱等を用いることができる。被検眼Ｅが乱視を有している場合、リングレンズ１６を経て受光素子１７に受光されるリング像は楕円形状となるため、演算処理部４２を用いて、このリング像の受光状態を解析することにより、乱視度数及び乱視軸角度を求めることができる。求めた被検眼Ｅの乱視度数及び乱視軸角度を基に、被検眼Ｅの乱視成分を打ち消すように前述した乱視補正用光学部材を配置する。このような構成により、被検眼が乱視成分を持っていても眼底からの反射光は、効率よく受光素子２８に集光し、測定の精度を高めることが可能となる。
【００３０】
以上の実施形態の装置では、参照光を角膜に集光させるための光学系を備えているものとしているが、これに限るものではない。以下に第２の実施形態として、測定光光束の角膜反射光を参照光として用いることで、別に参照光を角膜に集光させる光学系を備えず、被検眼の屈折力と眼軸長を測定する眼科測定装置を示す。
【００３１】
図４は第２の実施形態に用いる眼科測定装置の光学系を示した図である。図１に示した光学部材と同機能を有するものには同じ符号を付し、その説明は省略する。
４０はビームスプリッタであり、図４に示す集光レンズ４とリレーレンズ５の間に配置され、光源１から被検眼Ｅに向けて照射された低コヒーレント光の角膜での反射光の一部を平行光にてプリズム４１に向けて反射させる役目を果たす。プリズム４１は図１に示すプリズム２３と同様に図示なき駆動手段により、図示する矢印方向に移動可能となっており、角膜反射光（参照光）が通る光路長を変更することができるようになっている。プリズム４１にて折り返された参照光は、干渉信号検出光学系の光軸Ｌ３上に配置されるビームスプリッタ４２により光軸Ｌ３と同軸とされ、集光レンズ４３を経て、受光素子４４の受光面に集光する。なお、受光素子４４の受光面は、被検眼Ｅの眼底と瞳とに共役な関係となっている。
【００３２】
また、光源１から被検眼Ｅに向けて出射された低コヒーレント光の眼底での反射光は、図１に示したようにビームスプリッタ１０からビームスプリッタ１５を経た後、ビームスプリッタ４２にて参照光と合成され、集光レンズ４３を経て受光素子４４の受光面に集光する。図１に示した光学系と同様に、得られた被検眼Ｅの屈折力を基にステージ１８を移動させて、被検眼Ｅの屈折力補正を行い、眼底に測定光がより集光できるようにした状態にしておく。その後、測定光と参照光との合成による干渉信号のピークが得られるように、図４に示すプリズム４１を移動させて参照光の光路長を変化させる。干渉信号のピークが得られたときのプリズム４１の基準位置からの移動量が被検眼Ｅの眼軸長となる。また、被検眼の屈折力測定は、前述した図１の光学系と同様に被検眼Ｅの眼底反射光をリングレンズ１６を介して受光素子１７にて受光し、受光面のリング像の状態から屈折力測定を行う。
【００３３】
図４に示す光学系では、被検眼Ｅにおける角膜での反射光の光量が大きいことを利用し、図１に示したような参照光を角膜に集光させるための光学系を備えず、角膜反射光を受光素子に受光させているため、光学部品を少なくさせることができ、図１の光学系に比べより簡単な構成で、被検眼の屈折力と眼軸長とを測定することができる。
【図面の簡単な説明】
【００３４】
【図１】本実施形態における眼科測定装置の光学系を示した図である。
【図２】本実施形態における眼科測定装置の制御系を示したブロック図である。
【図３】リングレンズを透過した測定光の集光状態を示した図である。
【図４】第２の実施形態における眼科測定装置の光学系を示した図である。
【符号の説明】
【００３５】
１  光源
４  集光レンズ
７  ホールミラー
９  対物レンズ
１４  コリメータレンズ
１６  リングレンズ
１７  受光素子
１８  ステージ
２３  プリズム
２７  集光レンズ
２８  受光素子
４０  制御部
４１  モニタ
４２  演算処理部
【図１】
2005342204.tif 000003
【図２】
2005342204.tif 000004
【図３】
2005342204.tif 000005
【図４】
2005342204.tif 000006